(57)【要約】（小寸の画像記録装置、特にカメラまたはビデオ・カメラ）小寸の画像記録装置（３）が、センサ（４）と、フレーム（１２）中に配置した焦点合わせ用のレンズ（８、９、１０）を有するレンズ組立体とを含む。このセンサは、開口（２０）を有する基板（１８）の第１面（１６）の上に配置され、その開口に面して、前記センサの感光表面（６）が配置されている。レンズ組立体の組み立て時に、それを位置決めする手段、特に光学要素（１１）によって形成した手段が設けられる。図１
2004506938.tif 000002
【特許請求の範囲】
【請求項１】
センサ（４）とレンズ組立体（８、９、１０、１１）とから形成され、これらのセンサおよびレンズ組立体を、前記レンズ組立体によって焦点合わせされた光の通路のための開口（２０）を有する支持体（１８）のいずれか一方の側にそれぞれ配置した小寸の画像記録装置であって、前記センサが前記開口に面して位置する光感応面（６）を有し、前記装置が、前記レンズ組立体を、その組み立て時に、前記開口および／または前記センサに対して相対的に位置決めする手段（１１；４０）を含み、前記レンズ組立体が第１光学要素（８、９、１０）を中に配置したフレーム（１２）を備え、そのフレームが前記第１光学要素によって外端が閉じられかつ内端が前記開口に面して位置する貫通穴を有する画像記録装置であって、前記支持体の前記開口中に配置されかつ前記位置決め手段を形成する第２光学要素（１１）を含むことを特徴とする装置。
【請求項２】
前記位置決め手段（１１）を同様に使用して、前記センサを、その組み立て時に、前記開口に対して相対的に位置決めして、前記レンズ組立体の光軸（２４）と前記光感応面の中心とを実質的に芯合わせさせることを特徴とする請求項１に記載の装置。
【請求項３】
前記センサを前記支持体に装着する前に、前記光学要素を前記光感応面上に接着することを特徴とする請求項２に記載の装置。
【請求項４】
前記開口の寸法が、前記光学要素をそれらの側部壁によって前記開口中に位置決めするように決定されることを特徴とする先行する請求項のいずれかに記載の装置。
【発明の詳細な説明】
【０００１】
本発明は、画像を検出するために使用する複数の画素を含むセンサを備える小寸法の画像記録装置、特にカメラまたはビデオ・カメラに関する。本装置は、光軸が実質的にセンサの光感応面の幾何学的な中心と交差する少なくとも１つの焦点合わせ用のレンズを含む。
【０００２】
特に、本発明による画像記録装置は多機能の携帯型デバイス、具体的には携帯電話、腕時計または携帯用マイクロコンピュータに搭載するためのものである。
【０００３】
センサ、フレーム内に配置したレンズ、および開口を有する支持体を含み、その開口に対向して、前記支持体の両側に、レンズと前記センサの光感応面を配置してある画像記録装置が、米国特許第５，１３０，８０４号の文書で知られている。このセンサ自体は、光感応面を有する基板から形成されており、この基板は、それが通常の仕方で電気接続するケースの底部に配置されている。このケースは、基板をケースの外部接点パッドに接続する電気接続部を含み、電子ユニットを載置する支持体に電気接続が可能になる。この装置は、その組み立て時に、レンズ組立体の光軸と開口の中心との正確な芯合わせが容易ではないという欠点を有する。同様に、開口に対するセンサの相対的な位置決めが確実ではない。その上、このセンサを支持体に装着すると共に、確実にその対応する接点パッドが適切に互いに向き合うようにならない。
【０００４】
【特許文献】米国特許第５，１３０，８０４号
【０００５】
本発明の目的は、上記の欠点を克服することである。
【０００６】
本発明の別の目的は、装置の製造時に、センサの画素と、画素によって供給される電子信号を処理および／または利用するための電子ユニットとの間の電気接続を容易に行える小寸法の画像記録装置を提供することである。
【０００７】
本発明はここに添付した請求項１に記載の画像記録装置に関する。
【０００８】
以降に、非限定的な例として供する添付図面を参照して、以下の記載によって本発明を詳細に説明する。
【０００９】
図１は、コンパクトでかつ自律的なモジュールを形成する画像記録装置２を模式的に示す。しかし、それは、携帯型デバイス、特に電話、または腕時計のように手首に着ける物に組み込むためのものである。本装置は、光感応面６を有する画像センサ４と、フレーム１２中に少なくとも部分的に装着した焦点合わせ用のレンズ８、９、１０および１１を含むレンズ組立体とから形成されている。フレーム１２はチューブ１３であって、貫通穴と、そのチューブの内端に、すなわち、センサ側に端部シールド１４とを有する。このチューブの外端をレンズ８が閉じている。センサ４は、光感応面６の寸法と実質的に等しいかまたはそれよりも大きい寸法の開口２０を有する支持体１８の下面１６に装着されている。その光感応面は、この開口に面してかつ実質的にその中心に芯合わせしてある。
【００１０】
特定のレンズ、特にレンズ１１が、赤外または紫外フィルタ機能を備えてもよいことに気づかれよう。１つの代替実施形態では、光学要素１１を、２つの平坦な平行面を有するフィルタのみによって形成することもできる。光学要素１１は、このレンズ組立体のフレーム１２に取り付け可能であり、または例えば、単に開口２０の中に押し込むことによって基板１８に取り付け可能であり、あるいはそれをセンサ４に直接取り付けてもよい。これらの様々な可能性が、当業者に代替実施形態の余地を残す。
【００１１】
本発明によれば、レンズ組立体の組み立て時に、レンズ組立体を開口２０および／またはセンサ４に対して相対的に位置決めする手段が設けられている。１つの好ましい実施形態では、これらの位置決め手段を同様に使用して、センサを前記開口に対して相対的に位置決めし、レンズ組立体の光軸２４とセンサの光感応面の中心とを実質的に芯合わせさせる。
【００１２】
第１の好ましい実施形態では、位置決め手段を光学要素１１によって形成するが、その要素は、その側面壁が支持体１８の上面２２を越えるように開口２０中に固定して配置してある。開口２０の寸法は、光学要素をその壁によってこの開口中に位置決めするように決定される。
【００１３】
組み立ての前に光学要素１１をセンサ４に取り付ける１つの変形形態では、センサを基板１８上に取り付けるとき、この要素によってそれを位置決めすることができる。さらには、この場合に、要素１１を使用して、フレーム１２を位置決めし、したがってセンサ４に対して相対的にレンズ組立体を位置決めする。例えば、要素１１を光感応面６に接着する。このような変形形態は、開口２０が光学要素１１の寸法よりも大きな寸法を有することを妨げない。
【００１４】
フレーム１２をここに模式的に示すが、それは様々な形態を取り得ること、特に、非直線的な内部または外部輪郭を備えることができることにも気づくであろう。フレーム１２を、当業者が利用可能な様々な方式で、特に接着によって基板１８に取り付けることができる。
【００１５】
センサ４を半導体基板から形成し、その表面に光感応面６となる画素を配置してある。これらの画素を、電気通路によって対応する通路を有する電気接点バンプ２８に接続する。バンプ２８は支持体の下面１６上に配置されている。これらの接点パッドをセンサ４に接続する様々な導電通路を、少なくとも１つの電子ユニット３０と一緒に、この面１６上に配置する。この面１６には、処理済みまたは部分的に処理した画像を利用手段、特に装置２によって記録した画像用の表示手段に供給するために、周辺接点パッド３２を設けることもできる。
【００１６】
センサ４および電子ユニット３０を樹脂３４によって保護する。この樹脂３４は、基板１８の背面部分を剛性化し、かつ基板１８上に配置した接点パッドとセンサの接続パッドまたはバンプ２８との間の電気接続部を保持する。センサ４が、繊細な表面金属化で形成した接点パッドのみを有し、その電気接続を、異方性接着剤または当業者に知られた他の任意の介在手段によって実現できることに気づかれよう。
【００１７】
図２は、本発明の第２実施形態を示す。以上で既に詳細に説明した参照符号を、ここでは繰り返して説明しないことにする。
【００１８】
画像記録装置３が図１の装置と異なる点は、レンズ組立体が、すべての透明な光学要素をチューブ１３内部に担持し、かつ内側の光学要素１１が、基板１８の開口２０を貫通しないことである。ここでは、開口２０に対する相対的なレンズ組立体の位置決めを、その組み立て時に、開口を貫通しかつその内部に嵌め込んだフレーム１２の下方部分４０によって実現している。
【００１９】
レンズ組立体の組み立て時に、それを開口２０に対して相対的に位置決めする手段を他にも設けることができる。センサ４に関しても同様である。
【００２０】
最後に、支持体１８が有利に、センサおよびレンズ組立体を支持する第１部分と他のユニット、特に電子ユニット３０を担持する第２部分との間で折り曲げ可能な柔軟性部分を有することができることに気づかれよう。これによって、第２部分を第１部分の下方に折り畳むことが可能になり、ユニット３０がレンズ組立体の延長上でセンサ４に面して位置する非常にコンパクトな装置が実現する。
【図面の簡単な説明】
【図１】本発明による画像記録装置の１つの実施形態を示す模式図である。
【図２】図１の装置の第２実施形態を示す図である。
【国際公開パンフレット】
2004506938.tif 000003
2004506938.tif 000004
2004506938.tif 000005
2004506938.tif 000006
2004506938.tif 000007
2004506938.tif 000008
2004506938.tif 000009
2004506938.tif 000010
2004506938.tif 000011
【国際調査報告】
2004506938.tif 000012
2004506938.tif 000013
2004506938.tif 000014
2004506938.tif 000015
2004506938.tif 000016
2004506938.tif 000017